(57)【要約】      （修正有）【課題】連結可能な形態を施した金属板を用いた樹木移植用装置およびこれを用いた樹木の根巻き作業の簡素化による、樹木の定植に係る一連の移植作業を効率的に行う方法を提供する。【解決手段】長方形状に整形された金属の薄い板状のもの１，２で、長辺部双方の端辺に配置された複数個の連結環に適合した連結軸を着脱自在に介して、遊嵌連結可能に複数の該金属板の連結を成すことを特徴とする樹木移植用装置。被対象木の幹５を中心とする円筒状態に、該金属板１，２を連結配置し、圧入作業に適応する加圧装置を用いて土中に圧入する事による、樹木の側根の切断と根鉢の形成を特徴とする、上記樹木移植装置と該移植装置を用いた樹木の根巻き方法。【選択図】図４
2006115823.tif 000002
【特許請求の範囲】
【請求項１】
長方形状に整形された金属板のもので、長辺部双方の端辺に複数個の連結環が配置され、該連結環に適合した連結軸を着脱自在に介して、複数の金属板を遊嵌連結可能な形態を成すことを特徴とする、樹木移植用装置。
【請求項２】
被対象樹木の幹を中心とする周囲を筒状に取り巻いた状態に、複数の金属板を遊嵌連結配置し、該配置の形態を維持しつつ土中に圧入する事による、樹木の側根切断と根鉢の形成を特徴とする請求項１に記載の樹木移植用装置を用いた、樹木の根巻き方法。
【発明の詳細な説明】
【発明の詳細な説明】
【技術分野】
【０００１】  本発明は、連結可能な形態を施した金属板を用いた樹木移植用装置およびこれを用いた樹木の根巻き作業の簡素化による、樹木の定植に係る一連の移植作業を効率的に行う方法に関するものである。
【背景技術】
【０００２】  従来、一般家庭における庭木等の樹木を他の場所に移植する必要性が発生すると、通常の選択肢として大型樹木の移植であれば植木職に依頼する。
あるいは、移植する被対象樹木が比較的小さい物であり、少人数の人力で定植が可能とおもわれるものであれば、自分自身の体力を駆使して樹木の移植作業を選択する。  スコップ、ツルハシ、鍬などの掘削作業用具を使い分けながら比較的樹木の混んだ狭い場所での重度の手堀作業となる事が多々あり、経験の乏しい一般人が樹木の移植をしょうとすると体力と根気が相当量必要で、根切り、薦巻き等、すなわち根鉢作りが困難な事態が生じる可能性もある、最悪なる場合には被対象樹木根部の根鉢の破壊による無理な移植作業となると、移植後の養生や管理が素人では難しく樹木の活着不良による立ち枯れなど不測の事態を招く、貴重な樹木の損失と無駄な労力の行使等良くある事柄では有る。  樹木の側根切断と根鉢の形成とを含む土中からの掘り出しが容易であると共に、一般人が樹木の定植に係る一連の移植作業を、効率的に行える樹木移植用装置の発明による樹木の根巻き作業を主とする、移植作業の簡素化が望まれていた。
【発明が解決しょうとしている課題】
【０００３】  かかる事情下に鑑み、本発明者らは、樹木の移植作業の簡素化が可能な作業装置、作業方法を開発すべく鋭意検討した結果、樹木の移植作業を少人数で、容易に作業可能な樹木移植用装置を見いだし、本発明を完成するに至った。
【課題を解決するための手段】
【０００４】  すなわち本発明は、長方形状に整形された金属板のもので、長辺部双方の端辺に複数個の連結環が配置され、該連結環に適合した連結軸を着脱自在に介して、複数の該金属板を遊嵌連結可能な形態を成すことを特徴とする、樹木移植用装置を提供するにある。
【０００５】  さらに本発明は、対象となる樹木の幹を中心とする周囲を筒状に取り巻いた状態に、複数の上記記載の金属板を、連結軸を着脱自在に介して回動可能に遊嵌連結配置し、該筒状配置の形態を維持しつつ、加圧装置において土中に圧入する事による、樹木の側根の切断と、根鉢の形成を特徴とする樹木移植用装置を用いた、樹木の掘り出し方法を提供するにある。
【発明を実施するための最良の形態】
【０００６】  以下、本発明の一実施態様を図面に基づき更に詳細に説明するが、本発明にかかる実施態様に限定されるものではない。    図１および図２は本発明の樹木移植用装置を示す概略図であり、本図中（１）は側板１、（２）は側板２、（３）は連結環、（４）は連結軸を示す。【０００７】  図１は樹木移植用装置における主要部分の形態を表し、（１）（２）側板長辺部に（３）連結環を配置のもの、（４）連結軸を図示した。  図２は（１）（２）側板（３）連結環に（４）連結軸を着脱自在に遊嵌し円筒状に連結したものである。  図３から図６は図２樹木移植用装置の樹木掘り出し作業の手法を概略図示したものであり、（５）被対象樹木、（６）仮想地表面とした。【０００８】  図３は、対象となる樹木の幹を中心とする周囲を、樹木移植用装置で円筒状に取り巻いた状態を示し、図４から図５は、土中に（１）（２）側板が交互に圧入される容姿を示す、図６は（１）、（２）各側板上端部が地表部と同位置に成り圧入埋没操作の終了と根鉢の形成された容姿を示し、図４から図６の（１）、（２）側板の土中埋没部分は透視図表記とした。  本図中、被対象樹木の土中における木根部の図表記を要するが、図示部分が煩雑となるきらいがある。  該木根の状態については後述するので、図での表記は省略する。【０００９】    図１において、本発明の樹木移植用装置は、長方形状に整形された金属板の（１）側板１（２）側板２もので、長辺部双方の端辺に複数個の（３）連結環が配置される。  該（３）連結環に適合した（４）連結軸を着脱自在に介して遊嵌連結可能な形態を成なし、（１）側板１（２）側板２それぞれが回動可能に遊嵌連結を成す構造で構成されている。  短辺部には（１）、（２）各側板の強度の増加を考慮した折り曲げを施す一辺を本発明の構成において上端部、切れ刃状に整形した他辺を土中埋没部先端とし、円筒状配置に適合した曲面を施している。【００１０】  上記に記載の曲面を施した短辺部形態は、曲面体に限定されるものではなく、多面体、波形体等の円筒状配置に適合した多様な形態を適用することは、勿論可能である。【００１１】  上記の樹木移植用装置を用いた樹木の根巻き方法においては、通常、対象となる樹木の地表面上の幹を中心とする周囲を円筒状に取り巻く状態に、複数枚の（１）側板１（２）側板２の金属板それぞれが回動可能及びスライド可能に（４）連結軸を介し遊嵌連結配置し、前記円筒状配置の形態を維持しつつ、加圧装置の作用で（１）側板１（２）側板２の金属板それぞれを、交互に土中圧入操作を繰り返し、（１）側板１（２）側板２の土中埋没部先端にて樹木の側方に張り出した側根の切断効果が発生、（１）側板１（２）側板２の上端部が地表面近くまで土中に埋没すると、結果として土中の木根部に該樹木移植用装置で良好な根鉢の形成が維持される。【００１２】  上記に記載の（１）側板１（２）側板２の金属板を土中に圧入する作業に適した加圧装置において、木製、ゴム製、プラスチック製の各種ハンマー等の汎用打撃加圧装置で該金属板それぞれを土中に圧入する作業を行うことが可能である。【００１３】  上記に記載の加圧装置において、作業環境が整っている場合、空気圧、油圧を応用した加圧機器及び装置��の作業、及び、弾性鋼等々の伸縮機能を応用した軽量簡便な荷重を加える装置を適用する事は勿論可能である。
並びに、別途付属する樹木移植用装置専用打撃加圧装置の使用が最も望ましい。
【実施例】
【００１４】  本発明の好適な実施例に基づく樹木移植用装置で、樹木の定植に係る一連の移植作業において、図１、図２に示す如く樹木移植用装置は、（１）側板１（２）側板２それぞれ複数の長方形状に整形された金属の薄い板状のもので、短辺部には（１）（２）側板の強度を増す折り曲げ技法の採用と、円筒状配置に適合した曲面加工を施し、長辺部双方に複数個の（３）連結環が配置され、該（３）連結環に適合した（４）連結軸を着脱自在に介して連結可能に遊嵌連結されている。【００１５】  樹木移植用装置を用いた樹木の根巻きの手法において、通常、対象となる樹木の地表面上の幹を中心とする円筒状態に、上記記載の如く複数の（１）側板１（２）側板２の金属板それぞれが回動可能及び、スライド可能に（４）連結軸を着脱自在に介し遊嵌連結配置し、前記円筒状配置の形態を維持しつつ、加圧装置の作用で（１）側板１（２）側板２の金属板それぞれが交互に適当量土中に埋没可能に圧入行程を繰り返す作業において、（１）側板１（２）側板２の土中埋没部先端にて樹木の側方に張り出した側根の切断効果を発生させ、（１）側板１（２）側板２の上端部が、対象となる樹木周辺の地表面近く土中に圧入埋没の結果、土中の木根部に該樹木移植用装置による良好な根鉢の形成効果が得られ、該根鉢の形成が保たれた状態で維持されている。【００１６】  本発明の構造及び作用などの特徴としては、上記に詳述する通りであり、該樹木移植用装置の活用で実現した側根切断の結果、樹木掘り出し作業における樹木移植用装置の外周側辺の手掘作業がたやすく進行する効果が生まれ、土中に（１）又は、（２）側板が圧入行程途中の妨げとなる硬質固形物は、従来の掘削用具を用いて最小限取り除けばよく、容易に樹木移植用装置と共に該当被対象樹木を掘り出し、運搬手段を講じて定植先に搬出すればよい。【００１７】  定植先において、定植用に掘られた穴に樹木移植用装置と共に被対象樹木を安定した状態で定置後、通常、着脱自在の（４）連結軸を樹木移植用装置より１本抜き取ることにより、容易に該移植装置の取り外しが出来、その状態で露出した根鉢を土中に埋没する事で樹木の根痛みを最小限に抑え、木根の活着が良く、移植後の養生や管理が容易となる。
【発明の効果】
【００１８】  本発明は、以上に実施例として詳述したように構成されているので、以下に記載しているような効果を有する。
本発明の樹木移植用装置及び、それを用いてなる樹木の定植に係る作業の簡素化は、庭木等の比較的小型の樹木を手堀り作業する施工者を対象とした装置で、該当樹木を掘り出し、搬出、定植の作業方法を開発提供するもので、比較的樹木の混んだ狭い場所での樹木移植作業で、最低限成人一人が移動可能な空間が確保できれば、該移植用装置で樹木の掘り出し作業が実施可能である。  又、小型の掘削機械の運用が十分な空間を有する場においても、樹木移植用装置での一連の作業に掘削機械の掘削力を併合すれば、より迅速な作業効果が得られることは勿論の事である。
【００１９】  樹木の定植に係る作業時間の縮小と、簡素化された作業方法に伴う簡便な作業装置の導入が、施工関係者の要求と相俟って、多様な施工現場における一連の定植作業に、軽量で作業効率が良く、樹木の移植後の養生や管理が容易で木根の活着安定度が高い等、簡便な作業装置で良好な定植作業の簡素化と、作業効率の向上とを合わせ持った、樹木の定植に係る一連の作業が実施可能なものとなる。
【図面の簡単な説明】
【００２０】
【図１】  樹木移植用装置  部分概略図
【図２】  樹木移植用装置  円筒状組み立て概略図
【図３】  対象木の幹を中心に周囲を樹木移植用装置で円筒状に取り巻いた概略図
【図４】  （１）側板を適当量土中に圧入埋没操作後図示。
【図５】  （２）側板を適当量土中に圧入埋没操作後図示。
【図６】  （１）、（２）各側板上端部が地表部と同位置に成り根鉢の形成図示。
【符号の説明】
（１）・・側板１
（２）・・側板２
（３）・・連結環
（４）・・連結軸
（５）・・被対象木
（６）・・仮想地表面
（ａ）・・上端部
（ｂ）・・土中埋没部先端  （切れ刃状部）
【図１】
2006115823.tif 000003
【図２】
2006115823.tif 000004
【図３】
2006115823.tif 000005
【図４】
2006115823.tif 000006
【図５】
2006115823.tif 000007
【図６】
2006115823.tif 000008